(57)【要約】      （修正有）【課題】開扉時にはハンドルの操作力でフックプレートをケース体に引っ込めることができる、引っ込めた状態を維持することができること。【解決手段】建物の開口部１の開閉体２に設けられ、閉扉時、縦枠３に配設した受け具Ｙに係合する係合片５を有する建物用ラッチ錠Ｘであって、ラッチ錠は、ハンドル６，７の操作力により所定量回動する回動カム８と、回動カムの係合腕８ｂに係合し、ケース体４の面座４ａに直交した状態でスライドする進退動部材１０と、進退動部材を面座から突出する方向に常時付勢する付勢手段９と、進退動部材に係合手段２４を介して連動するように接続し、その基端部が面座付近に軸支されたラッチ機能を有する係合片としてのフックプレートと、開扉時にハンドルの操作力により付勢手段の付勢力に抗して後退動した進退動部材の姿勢を維持するように進退動部材の設けた係合歯２５ａに係合する係止体を有する姿勢維持手段１１を備える。【選択図】図３
2015206249.tif 000002
【特許請求の範囲】
【請求項１】
建物の開口部の開閉体に設けられ、閉扉時、前記開口部の縦枠に配設した受け具に係合する係合片を有する建物用ラッチ錠であって、前記ラッチ錠は、ハンドルの操作力により所定量回動する回動カムと、この回動カムの係合腕に係合し、ケース体の面座に直交した状態でスライドする進退動部材と、この進退動部材を前記面座から突出する方向に常時付勢する付勢手段と、前記進退動部材に係合手段を介して連動するように接続し、その基端部が前記面座付近に軸支されたラッチ機能を有する前記係合片としてのフックプレートと、開扉時に前記ハンドルの操作力により前記付勢手段の付勢力に抗して後退動した前記進退動部材の姿勢を維持するように該進退動部材に設けた係合歯に係合する係止体を有する姿勢維持手段を備える建物用ラッチ錠。
【請求項２】
請求項１に於いて、姿勢維持手段は、少なくともケース体に固定軸を介して軸支された係止体と、前記固定軸又はケース体のいずれかに配設され、かつ前記係止体の第１係合片の爪を進退動部材に設けた少なくとも一つの係合歯に係合するよう付勢する保持バネとを有することを特徴とする建物用ラッチ錠。
【請求項３】
請求項２に於いて、姿勢維持手段は、ケース体に軸支されかつ可動磁石を有するトリガー手段に係合する第２係合片を有し、閉扉時、前記トリガー手段が縦枠の受け具に配設した固定磁石の極性に対応して位置変位すると、該トリガー手段に押される係止体が、進退動部材の係止状態を解除する方向へと回転し、これにより前記進退動部材は付勢手段の付勢力により自動的に前進すると共に、該進退動部材に連動して回転するフックプレートのフック部は、受け具に仮施錠状態に係合することを特徴とする建物用ラッチ錠。
【請求項４】
請求項１に於いて、進退動部材の先端部及びフックプレートのフック部は左右対称に形成されていることを特徴とする建物用ラッチ錠。
【請求項５】
請求項１に於いて、扉は工場、病院、施設等の開口部に配設される防火扉であることを特徴とする建物用ラッチ錠。
【発明の詳細な説明】
【技術分野】
【０００１】
本発明は、建物用ラッチ錠に関し、特に、建物は工場、病院、施設等であり、扉は工場、病院、施設等の開口部に配設される防火扉を対象とする建物用ラッチ錠に関する。
【背景技術】
【０００２】
特許文献１には、「防火扉２０に設けた係合金具４を拘束するフックプレート２と、このフックプレート２で係合金具４を拘束した状態に保持するため、弾性力を作用させたリンク部材３１，３２を設けたラッチレバー３０とを備えた防火扉用自動閉鎖装置Ｒにおいて、リンク部材３１，３２は、それらのリンク軸３１ａ，３１ｂ，３２ａに、ばね材を巻き付けて、上記ソレノイドの移動方向と反抗する方向に弾性力を付与させる事項」が記載されている。
【０００３】
この防火扉２０は、普通の使用態様では、「開いた状態」で壁側に拘束することができるように、工場、病院、各種施設等の建物の出入り口である開口部に回転式に設けられ、一方、この防火扉２０の一側壁の略中央部に固定された横倒しＵ字形状の係合金具４と係脱する仮施錠用のフックプレート２を備えた防火扉用自動閉鎖装置（建物用ラッチ錠）は、前記開口部付近の壁に形成された凹所に嵌め込まれている。
【０００４】
したがって、特許文献１に記載の建物用ラッチ錠は、仮施錠用のフックプレート２と係合する受け具としての係合金具４が取付け箇所から突出する、仮施錠用のフックプレート２は箱型ケース体１００の切欠開口部１０１から出没しない等の理由から、開口部を形成する縦枠に前記受け具４を配設し、一方、建物用ラッチ錠を開閉体（回転式扉、引戸）の先端部に設けても全く使用することができないという問題点がある（符号は特許文献１のもの）。
【０００５】
そこで、現在、工場、病院、各種施設等の建物の開口部の縦枠に設けることができる防火扉を、常態の使用態様では開口部を閉じた態様で仮施錠状態することができ、一方、開扉時には操作ハンドルの操作力でフックプレートをケース体に引っ込めることができる、フックプレートをケース体に引っ込めたとき（特に開扉時）に、引っ込めた状態を維持することができる建物用ラッチ錠の出現が期待されている。
【０００６】
ところで、特許文献２には、「錠箱本体１に取付けられた面座７から出没することができるように錠箱本体に枢着された回動ロック片１１（フックプレート）と、この回動ロック片を回動することができるように錠箱本体に軸支され、かつ、回動ロック片の枢着部に形成されたガイド長孔１３と係合する突出ピン（作動ピン）１２を有する従動歯車と、この従動歯車と噛合する歯車列１６と、この歯車列と噛合するクラッチ手段１８と、このクラッチ手段と噛合し、かつ、前記歯車列及び従動歯車を介して回動ロック片を回転させることができるように錠箱本体内に設けられた駆動モータ２０と、一方、前記従動歯車を介し回動ロック片を回動することができるように錠箱本体に設けられ、かつ、従動歯車に噛合する駆動歯車を有する手動式施解錠手段３０とを備える事項」が記載されている。
【０００７】
しかしながら、この特許文献２の記載の発明は「引戸用電気錠」であり、開扉時、前記回動ロック片１１（フックプレート）は操作ハンドルの操作力によりスライドする進退動部材に連動して縦枠の受け具から離れるものではない。一方、閉扉時、前記回動ロック片１１は進退動部材に連動して自動的に縦枠の受け具に係合するものではない。また閉扉時、前記回動ロック片１１の係止状態を解除するトリガー手段４、４０は、磁性体の極性を利用するものではない（符号は特許文献２のもの）。
【先行技術文献】
【特許文献】
【０００８】
【特許文献１】特開２００５−３２０８２４号公報
【特許文献２】特開平７−２６８０９号公報
【発明の概要】
【発明が解決しようとする課題】
【０００９】
本発明の主たる目的は、開口部の縦枠に配設した受け具に係合するフックプレートを有する建物用ラッチ錠を開閉体の先端部に設け、常態の使用態様では開口部を閉じた態様で仮施錠状態することができ、一方、開扉時にはハンドルの操作力でフックプレートをケース体に引っ込めることができる、フックプレートをケース体に引っ込めたとき（特に開扉時）に、引っ込めた状態を維持することができる建物用ラッチ錠を提供することである。望ましくは、建物用ラッチ錠は、工場、病院、施設等の開口部に配設される防火扉の先端部に設けることである。第２の目的は、仮施錠機能を有するフックプレートが、ハンドルの操作力により後退動する進退動部材に連動して縦枠の受け具から離れることである。第３の目的は、閉扉時、フックプレートは進退動部材に連動して自動的に縦枠の受け具に係合することである。第４の目的は左右勝手、片開き用、両開き用、引戸用など複数の使用態様ができることである。
【課題を解決するための手段】
【００１０】
本発明の建物用ラッチ錠は、建物の開口部の開閉体に設けられ、閉扉時、前記開口部の縦枠に配設した受け具に係合する係合片を有する建物用ラッチ錠であって、前記ラッチ錠は、ハンドルの操作力により所定量回動する回動カムと、この回動カムの係合腕に係合し、ケース体の面座に直交した状態でスライドする進退動部材と、この進退動部材を前記面座から突出する方向に常時付勢する付勢手段と、前記進退動部材に係合手段を介して連動するように接続し、その基端部が前記面座付近に軸支されたラッチ機能を有する前記係合片としてのフックプレートと、開扉時に前記ハンドルの操作力により前記付勢手段の付勢力に抗して後退動した前記進退動部材の姿勢を維持するように該進退動部材に設けた係合歯に係合する係止体を有する姿勢維持手段を備えることを特徴とする。
【００１１】
ここで「ラッチ機能」とは仮施錠のことである。したがって、本施錠として用いられるデットボルトは本発明の本質的事項ではないが、ケース本体を縦長状に形成して、進退動部材の上方又は下方のいずれかに所要間隔を有してデットボルトを配設しても良い。
【発明の効果】
【００１２】
（ａ）請求項１に記載の発明は、開口部の縦枠に配設した受け具に係合するフックプレートを有する建物用ラッチ錠を開閉体の先端部に設け、常態の使用態様では開口部を閉じた態様で仮施錠状態することができ、一方、開扉時にはハンドルの操作力でフックプレートをケース体に引っ込めることができる、フックプレートをケース体に引っ込めたとき（特に開扉時）に、引っ込めた状態を維持することができる等の効果がある。
（ｂ）請求項２に記載の発明は、姿勢維持手段は、少なくともケース体に固定軸を介して軸支された係止体と、前記固定軸又はケース体のいずれかに配設され、かつ前記係止体の第１係合片の爪を進退動部材に設けた少なくとも一つの係合歯に係合するよう付勢する保持バネとを有するので、簡単な構成で、前記（ａ）の効果を得ることができる。
（ｃ）請求項３に記載の発明は、姿勢維持手段は、ケース体に軸支されかつ可動磁石を有するトリガー手段に係合する第２係合片を有し、閉扉時、前記トリガー手段が縦枠の受け具に配設した固定磁石の極性に対応して位置変位すると、該トリガー手段に押される係止体が、進退動部材の係止状態を解除する方向へと回転し、これにより前記進退動部材は付勢手段に付勢力により自動的に前進すると共に、該進退動部材に連動して回転するフックプレートのフック部は、受け具に仮施錠状態に係合するので、同様に簡単な構成で、前記（ａ）の効果を得ることができる。
（ｄ）請求項４に記載の発明は、進退動部材の先端部及びフックプレートのフック部は左右対称に形成されているので、左右勝手に利用することができる。
（ｅ）請求項５に記載の発明は、フックプレートのフック部が鎌片の如く受け具に係合しているので、火災が噴出しない、フックプレートが受け具から容易に外れない等の理由から、工場、病院、施設等の開口部に配設される防火扉に適合する。
【図面の簡単な説明】
【００１３】
図１乃至図１３は本発明の第１実施形態を示す各説明図。
【図１】本発明を工場の開口部に適用した環境説明図。
【図２】平面視からの概略説明図。
【図３】ケース体に配設された各部材を示す説明図（閉扉時、仮施錠状態）。
【図４】平面視からのケース体の内部構造を示す説明図。
【図５】図３を基準とする左側面図。
【図６】要部の説明図（フックプレート、進退動部材、付勢手段）。
【図７】フックプレートが左右勝手にも使用することを示す先端部側からの説明図。
【図８】要部の部分拡大図。
【図９】要部の斜視図（姿勢維持手段）。
【図１０】要部の説明図（係合歯を含むラチェット片）。
【図１１】要部の説明図（トリガー手段）。
【図１２】閉扉状態でハンドルを押下げ、フックプレートがケース体に引き込んだ状態の説明図。
【図１３】開扉状態（ハンドルから手を離した状態）の説明図。
【図１４】本発明と関連して用いられる受け具の説明図（正面視）。
【発明を実施するための最良の形態】
【００１４】
図１乃至図１３は、本発明の一実施形態の建物用ラッチ錠である。また図１４は本発明と関連して用いられる受け具の正面視からの説明図である。以下に、本発明の実施形態について、添付図とともに説明する。
【００１５】
（１）環境部材
まず、図１は本発明を建物（例えば工場）の開口部１に設けられた開閉体２に適用した環境説明図で、建物は、例えば大規模なＩＴ関連工場、学校、病院、施設等である。また前記開口部１は、例えば火災時に火事が広がらないように建物の空間を仕切るための出入り口であり、また前記開閉体２は、例えば基端部が軸支され、その先端部が前記開口部１を形成する縦枠３に対向する防火扉である。したがって、ラッチ錠Ｘは耐火性の金属で出来ている。また係合片は、火災に耐え得るような構造となっている。
【００１６】
すなわち、ラッチ錠Ｘは、開閉体２の先端部に収納され、閉扉時、縦枠３に配設した受け具Ｙに自動的に係合する係合片としてのフックプレート５（以下、これを「カマラッチ」という）を備えている。カマラッチ５は、日常的に使用されている普通一般のラッチ錠のラッチ（その突出する先端部が、傾斜状の垂直摺接面と、この垂直摺接面に鋭角方向に連設する垂直係止面を有する）形態とは相違し、主に、大規模なＩＴ関連工場の防火扉に使用するために開発されたもので、その基端部は錠箱に相当するケース体４に軸支され、基端部５ａから鉤状に延びる先端部はフック部５ｂとなっている。
【００１７】
実施形態では、カマラッチ５は左右勝手、片開き用、両開き用、引戸用など複数の使用態様ができるように工夫され、望ましくは、前記フック部５ｂはカマ片の如く左右対称に形成されている。
【００１８】
また図２で示すように、開閉体２の内外の壁面には、一方のハンドル６又は他方のハンドル７が設けられ、前記ハンドル６、７の一方を操作（例えば押下）すると、該ハンドルの操作力は回動カム８に伝達され、該回動カム８の回転モーメントは進退動部材１０に伝わり、この進退動部材１０は付勢手段９の付勢力に抗してケース体４内に後退動する。この時、後述の係合手段２４を介して前記進退動部材１０に接続するカマラッチ５は、進退動部材１０と連動して仮施錠状態を解消する方向、すなわち、カマラッチ５のフック部５ｂが、縦枠３の受け具Ｙから離れる方向に回転する。そして、カマラッチ５が進退動部材１０と共にケース体４に後退した時に於いて、開閉体２を開いてハンドルから手を離しても、進退動部材１０が付勢手段９の付勢力により戻らないように進退動部材用の姿勢維持手段１１がケース体４に設けられている。
【００１９】
さらに、望ましくは、閉扉時、カマラッチ５は進退動部材１０に連動して自動的に縦枠３の受け具Ｙに係合するように、トリガー手段１２が加味されている。そこで、本発明の建物用ラッチ錠Ｘは、次に述べるような主な構成部材を備えている。
【００２０】
（２）主な構成部材…図３、図１２参照
図３はケース体４に配設された各部材を示す説明図で、この図３は閉扉時に付勢手段（押しバネ）９の付勢力により進退動部材１０が自動的に前進してケース体４の面座４aから突出すると略同時にカマラッチ５が時計方向に回転し、その結果、縦枠３の受け具Ｙにそのフック部５ｂが係合した仮施錠状態を示す。一方、図１２は、ハンドル６、７の一方を押下げ操作し、その操作力によりカマラッチ５が進退動部材１０の後退動に連動してケース体４に引っ込んだ状態を示す。そして、図１３は開扉状態のときに於いて、姿勢維持手段１１を圧接するトリガー手段１２が、その自重によりぶら下がり状態となって姿勢維持手段１１から離れても、姿勢維持手段１１は、その保持バネ３３のバネ力により、カマラッチ５がケース体４から飛び出ないように進退動部材１０を係止している状態を示す。又図１３は、ハンドルから手を離しても、同様に姿勢維持手段１１は、その保持バネ３３のバネ力により、進退動部材１０を係止していることを示す。したがって、進退動部材１０用の付勢手段（押しバネ）９の付勢力と保持バネ３３の付勢力のバランスは適宜に設定されている。
【００２１】
そこで、主な構成部材を説明する。まず４は箱型のケース体で、該ケース体４は防火扉２の先端部に埋め込み状態に収納される。ラッチ錠Ｘは、望ましくは防火扉２に用いられるので、ケース体４は火災に強い金属材料で作られている。ケース体４は錠箱に相当するので、不番のケース身、ケース蓋、前板と共に、前板に前面に設けられる面座（フロント）４ａ等を有する。ケース体４の細部的事項の説明を割愛するが、前記面座４ａ及び前板には、カマラッチ５及び進退動部材１０用の開口４ｂが形成されている。またケース体４には、軸孔、取付け孔等が適宜に形成されている。
【００２２】
次に８は、一方又は他方のいずれかのハンドル（６、７）の操作力により所定量回動する回動カムで、この回動カム８は、ハンドルの角軸が入り込む角型又は非真円形状の軸孔を有する円筒状のカム本体８ａと、このカム本体８ａの半径方向に一端部に突設された取付け部分に略垂直状態に固定された、或いは一体成形された係合腕８ｂとを有している。カム本体８ａの外周面には、Ｌ型のハンドル（６、７）の握り部を水平方向へ戻すハンドルバネ２０が巻装され、その一端部はケース体４に設けた不番のバネ端支持部に支持され、一方、他端部はカム本体８ａの不番のバネ端支持部分に支持されている。カム本体８ａの細部的事項の説明は割愛するが、カム本体８ａは、その他半径方向に突出するストッパー部分を有し、所定量回動可能である。
【００２３】
次に９は進退動部材１０用の付勢手段で、この付勢手段９のバネ端先端部は進退動部材１０の後端部１０ａに適宜に連結され、一方、バネ端後端部はケース体４の後壁４ｃの中央部寄りの部位に圧接状態に支持されている。
【００２４】
次に１０は回動カム８の係合腕８ｂに係合し、ケース体４の面座４ａに直交した状態でスライドする進退動部材である。前述したように、この進退動部材１０は、後端部１０ａから長板状に連続する先端部１０ｂが、ケース体４の面座４ａから突出する方向に付勢手段９によって常時付勢されている。それ故に、進退動部材１０は、付勢手段９の付勢力に抗して所定位置まで後退動可能である。
【００２５】
図７を基準にすると、進退動部材１０の先端部１０ｂはＵ字形状に形成された左右対称の形態であるが、これはカマラッチ５と同様に左右勝手を考慮したものである。もちろん、カマラッチ５のフック部５ｂの向き如何によっては、前記先端部１０ｂは、逆Ｕ字形状であっても良い。進退動部材１０の構造は、いわゆるデッドボルトに類似しているが、実施形態の進退動部材１０は本施錠に用いられるものではなく、カマラッチ５を、その基端部５ａを軸支する固定軸２１を基点に回動させるための駆動部材である。それ故に、進退動部材１０の形態は、いわゆるデッドボルトと相違する任意の形態に設計変更することができる。実施形態では、進退動部材１０の後端部１０ａの上方に平行して延在する細長状の係止板部１０ｃが設けられ、該係止板部１０ｃの後端部を折曲げた端板部分の内側に前述した回動カム８の係合腕８ｂの上端部が係合する。さらに、進退動部材１０は水平方向に案内長孔１０ｄを有し、該案内長孔１０ｄにケース体４の幅広側壁に固定したガイドピン２３が入り込んでいる。なお、進退動部材１０用の案内手段は、進退動部材１０が安定した状態で水平移動することができるに適宜に設計される。
【００２６】
次に４は、進退動部材１０に係合手段２４を介して連動するように接続し、その基端部５ａが前述した面座４ａの内壁面付近に固定軸２１を介して軸支されたラッチ機能を有する係合片としてのカマラッチ５（ラッチとしては特殊な形状）である。前記係合手段２４は、進退動部材１０の先端部１０ｂの上辺部位に横設された作動ピン２４ａと、該作動ピンと係合するようにカマラッチ５の略中央部にやや弧状に形成された案内長孔２４ｂとから成る。
【００２７】
次に姿勢維持手段１１は、開扉時にハンドル（６、７）の操作力により、付勢手段９の付勢力に抗して後退動した進退動部材１０の姿勢を維持するようにケース体に配設されている。この姿勢維持手段１１の外観構成は、図９に示すとおりである。また姿勢維持手段１１と係脱する係合歯２５ａを有するラチェット片２５（取付け板２７も含む）は、図１０に示す通りである。実施形態では、ラチェット機構を用い、姿勢維持手段１１を構成する係止片３１の係合爪３２ａは、保持バネ３３の弾発力に抗して一つ一つ係合歯２５ａ（ラチェット歯）を乗り越え、終端の係合歯でカマラッチ５の引っ込んだ状態を維持する。なお、姿勢維持手段１１としてラチェット機構を用いているが、これは一例であって、係止手段は適宜に設計し得る事項である。
【００２８】
しかして、この姿勢維持手段１１は、少なくとも、進退動部材１０の一辺に直接又は間接的に固定された、或いは進退動部材１０の一辺に一体成形された係合歯２５ａを有するラチェト片２５の近傍に設けられた固定軸２６を介してケース体４に回動可能に軸支された係止体３１と、この係止体に設けられた第１係合片３２と、この第１係合片の爪３２ａを進退動部材１０に設けた前記係合歯２５ａに係合するように前記固定軸２１又はケース体４のいずれかに配設された保持バネ３３とを有している。
【００２９】
また姿勢維持手段１１は、ケース体４に軸支され、かつその下端部に可動磁石４１を有すると共に不番の固定軸に軸支されたトリガー手段１２に係合する第２係合片３４を有し、閉戸時、前記トリガー手段１２がケース状の受け具Ｙに内設した固定磁石４２の極性に対応して位置変位すると、該トリガー手段１２に圧接され（実施形態では押圧する）又は係合状態のいずれかにより、固定軸２６に回転自在に軸支されている係止体３１が連動して進退動部材１０の係止状態を解除する方向へと回転し、係止状態が解かれると、前記進退動部材１０は付勢手段９に付勢力により前進してカマラッチ５のフック部５ｂは、ケース状の受け具Ｙに仮施錠状態に係合する。
【００３０】
ここで、図８の要部の部分拡大図を参照にして、姿勢維持手段１１を構成する係止体３１と保持バネ３３について説明すると、保持バネ３３はネジリバネが用いられ、その中央部はラチェト片２５の下方に位置する固定軸２６に巻装され、一方のバネ腕３３ａは係止体３１の第２係合片側に設けたバネ端支持片３５に圧接支持され、他方のバネ腕３３ｂは係止体３１の当接片３６用のケース体ストパー３８に圧接支持されている。
【００３１】
したがって、その筒状軸部３７が固定軸２６に軸支された係止体３１は、保持バネ３３のバネ力により、その係合爪３２ａが上方からラチェト片２５の係合歯２５ａ（ラチェット歯）に係合する方向（図面では時計方向）に常時付勢されている。
【００３２】
図１０は、進退動部材１０の一辺（実施形態では下辺）に、取付け板２７及び固定具２８を介して一体的に固定された係合歯２５ａを有するラチェト片２５を示す。前記取付け板２７はラチェト片２５が「ガタツク」のを防止するために用いられており、発明の本質的事項ではない。したがって、細部的な符号は省略するが、該取付け板２７は、例えば複数個のネジ孔を有する横長長方形状部分２７ａの一端部を折り曲げる、その他端部を折り曲げる等の工夫を施している。この取付け板２７の横長長方形状部分２７ａの下面に複数の固着具用の孔を有する横長長方形状のラチェト片２５が固定具２８を介して固定されている。
【００３３】
前述したように、実施形態の係合歯２５ａは、ラチェト片２５の一端縁部に水平方向に形成されたラチェット歯であり、該ラチェット歯は平板状のラチェト片２５の手前側に形成されている。
【００３４】
最後に図１４は、本発明と関連して用いられる受け具Ｙの正面視からの説明図である。受け具Ｙの具体的構成の説明は割愛するが、縦長形態の受け具Ｙは、下端部に磁石４２を固定的に内装し、該固定磁石４２は、閉扉時、トリガー手段１２の可動磁石４１と対向する。両磁石４１、４２が対向すると、実施形態では反発し合って、トリガー手段１２は、図３で示すように反時計方向に回転する。その結果は前述した通りで、可動磁石４１の背面側で押された係止体３１は保持バネ３３のバネ力に抗してトリガー手段１２と同じ反時計方向に回転する。なお、符号４３はカマラッチ用の受入開口である。
【産業上の利用可能性】
【００３５】
本発明は、例えば工場、病院、施設等の開口部に配設される防火扉を対象とする建物用ラッチ錠として用いられる。
【符号の説明】
【００３６】
Ｘ…ラッチ錠、Ｙ…受け具、
１…開口部、２…開閉体（例えば防火扉）、
３…縦枠、
４…ケース体、４ａ…面座、
５…フックプレート（カマラッチ）、
６、７…ハンドル、
８…回動カム、８ｂ…係合腕、
９…付勢手段、
１０…進退動部材、
１１…姿勢維持手段、
１２…トリガー手段、
２４…係合手段、
２５…ラチェト片、２５ａ…係合歯、
２６…固定軸、
３１…係止体、
３２…第１係合片、
３３…保持バネ、
３４…第２係合片。
【図１】
2015206249.tif 000003
【図２】
2015206249.tif 000004
【図３】
2015206249.tif 000005
【図４】
2015206249.tif 000006
【図５】
2015206249.tif 000007
【図６】
2015206249.tif 000008
【図７】
2015206249.tif 000009
【図８】
2015206249.tif 000010
【図９】
2015206249.tif 000011
【図１０】
2015206249.tif 000012
【図１１】
2015206249.tif 000013
【図１２】
2015206249.tif 000014
【図１３】
2015206249.tif 000015
【図１４】
2015206249.tif 000016